(57)【要約】      （修正有）【課題】美観を損なうことなく広い適用範囲で被保持器具を保持可能なホルダを提供する。【解決手段】ホルダ１０は、磁石２０、および、被保持器具の掛けられるリング部２４を有する保持部材２０を備える。ホルダ１０は、被保持器具として用いられる眼鏡のテンプルの移動を抑制するテンプル移動抑制部４０をさらに備えることが好ましい。【選択図】図１４
0003176034.tif 000002
【実用新案登録請求の範囲】
【請求項１】
磁石、および、被保持器具の掛けられるリング部を有する保持部材を備える、ホルダ。
【請求項２】
前記保持部材は、装飾部材をさらに有する、請求項１に記載のホルダ。
【請求項３】
前記装飾部材は、ブローチ、コサージュ、飾りピン、襟飾り、または、ペンダントを含む、請求項２に記載のホルダ。
【請求項４】
前記磁石に引き寄せられる支持部材をさらに備える、請求項１から３のいずれかに記載のホルダ。
【請求項５】
前記リング部は前記磁石に接着されている、請求項１から４のいずれかに記載のホルダ。
【請求項６】
前記保持部材は、前記磁石を囲み、かつ、前記リング部の形成された包有部材をさらに有する、請求項１から５のいずれかに記載のホルダ。
【請求項７】
前記被保持器具として用いられる眼鏡のテンプルの移動を抑制するテンプル移動抑制部をさらに備える、請求項１から６のいずれかに記載のホルダ。
【請求項８】
第１端部および第２端部を有する紐状体をさらに備え、
前記紐状体の前記第１端部は前記保持部材に接続されており、
前記紐状体の前記第２端部は前記テンプル移動抑制部に接続されている、請求項７に記載のホルダ。
【考案の詳細な説明】
【技術分野】
【０００１】
本考案は、ホルダに関し、より詳細には、被保持器具を保持可能なホルダに関する。
【背景技術】
【０００２】
眼鏡や筆記具は、一旦使用した後、しばらくの間、使用しないことがあり、結果として置き忘れることがある。例えば、軽度な遠視用眼鏡、あるいは、いわゆる"老眼鏡"は、書類、新聞等の近距離のものを見るときにのみ必要となり、置き忘れ、または、紛失する場合がある。また、筆記具についても、例えば、読書時に、特定の箇所に線を引く等の一時的な用途の後、所定の期間、用いられないことがあり、置き忘れ、または、紛失する場合がある。
【０００３】
このような眼鏡または筆記具を、使用時にバック、眼鏡ケースまたは筆記具箱に収納する場合、使用する毎に取り出すことは煩わしい。また、特に、眼鏡レンズは割れ易く、かつ、傷つき易いため、衣服のポケットなどに入れておくと損傷してしまうことがある。
【０００４】
このような眼鏡の置き忘れを防止するための眼鏡保持具が知られている（特許文献１）。特許文献１に記載の眼鏡保持具では、眼鏡のテンプルエンドが眼鏡保持リング部を通過するように掛けた状態で眼鏡の固定が行われる。
【先行技術文献】
【特許文献】
【０００５】
【特許文献１】登録実用新案第３１０４８５５号公報
【考案の概要】
【考案が解決しようとする課題】
【０００６】
特許文献１の眼鏡保持具は、安全ピンまたはネックレスを用いて固定される。しかしながら、ネックレスによる固定は、使用者がいなければ、行うことができない。また、安全ピンまたはクリップを用いて固定する場合、固定した箇所に跡が残ってしまい美観が損なわれることがある。
【０００７】
本考案は上記課題を鑑みてなされたものであり、その目的は、美観を損なうことなく広い適用範囲で被保持器具を保持可能なホルダを提供することにある。
【課題を解決するための手段】
【０００８】
本考案によるホルダは、磁石、および、被保持器具の掛けられるリング部を有する保持部材を備える。
【０００９】
ある実施形態において、前記保持部材は、装飾部材をさらに有する。
【００１０】
ある実施形態において、前記装飾部材は、ブローチ、コサージュ、飾りピン、襟飾り、または、ペンダントを含む
ある実施形態において、前記ホルダは、前記磁石に引き寄せられる支持部材をさらに備える。
【００１１】
ある実施形態において、前記リング部は前記磁石に接着されている。
【００１２】
ある実施形態において、前記保持部材は、前記磁石を囲み、かつ、前記リング部の形成された包有部材をさらに有する。
【００１３】
ある実施形態において、前記ホルダは、前記被保持器具として用いられる眼鏡のテンプルの移動を抑制するテンプル移動抑制部をさらに備える。
【００１４】
ある実施形態において、前記ホルダは、第１端部および第２端部を有する紐状体をさらに備え、前記紐状体の前記第１端部は前記保持部材に接続されており、前記紐状体の前記第２端部は前記テンプル移動抑制部に接続されている。
【考案の効果】
【００１５】
本考案によるホルダは、美観を損なうことなく広い適用範囲で被保持器具を保持可能することができる。
【図面の簡単な説明】
【００１６】
【図１】本考案によるホルダの実施形態の模式図である。
【図２】本実施形態のホルダの模式図である。
【図３】本実施形態のホルダの模式図である。
【図４】本実施形態のホルダの模式図である。
【図５】本実施形態のホルダの模式図である。
【図６】本実施形態のホルダの模式図である。
【図７】本実施形態のホルダの模式図である。
【図８】一般的な眼鏡の構成を示す模式図であり、（ａ）は開いている状態の模式図であり、（ｂ）は閉じている状態の模式図である。
【図９】本実施形態のホルダが眼鏡を保持していること示す模式図である。
【図１０】本実施形態のホルダの模式図である。
【図１１】本実施形態のホルダにおけるテンプル移動抑制部の一例を示す模式図であり、（ａ）は開いている状態の模式図であり、（ｂ）は閉じている状態の模式図である。
【図１２】本実施形態のホルダにおけるテンプル移動抑制部の一例を示す模式図である。
【図１３】本実施形態のホルダにおけるテンプル移動抑制部の一例を示す模式図である。
【図１４】本実施形態のホルダの模式図である。
【図１５】本実施形態のホルダの更に詳細な模式図である。
【考案を実施するための形態】
【００１７】
以下、図面を参照して本考案によるホルダの実施形態を説明する。ただし、本考案は以下の実施形態に限定されない。
【００１８】
図１に、本実施形態のホルダ１０の模式図を示す。ホルダ１０は、磁石２２およびリング部２４を有する保持部材２０を備える。ここでは、磁石２２は矩形状であり、このような磁石２２はマグネットパッドとも呼ばれる。
【００１９】
リング部２４は、例えば、内部の空いた輪形状を有している。ここでは、リング部２４は磁石２２に接着されている。一例としてリング部２４は、磁石２２に接着剤で接着される。リング部２４は、可撓性を有しても有さなくてもよい。リング部２４が可撓性を有する場合、リング部２４は、例えば、ゴム、繊維からなる紐、金属ワイヤ、鎖等から構成される。あるいは、リング部２４は、布、フェルトまたはシリコンゴムから形成されてもよい。なお、リング部２４はリング形状を常に維持するように構成されていることが好ましい。
【００２０】
本実施形態のホルダ１０には磁石２２が設けられており、これにより、ホルダ１０は強磁性または常磁性の部材に取り付け可能である。例えば、ホルダ１０は、金属または磁石に取り付けられる。一例として、ホルダ１０は、車、壁または金属固定物（例えば、冷蔵庫等）に取り付けることができる。また、リング部２４には被保持器具の少なくとも一部が掛けられ、これにより、ホルダ１０に被保持器具が保持される。このように、ホルダ１０は美観を損なうことなく被保持器具を保持することができる。なお、リング部２４に被保持器具が掛けられた場合、リング部２４が変形すると、摩擦が比較的大きくなり、被保持器具がリング部２４から外れることを抑制できる。
【００２１】
図２に、被保持器具Ｍを保持したホルダ１０の模式図を示す。被保持器具Ｍは、その一部がリング部２４に掛かるように構成されている。例えば、被保持器具Ｍは、互いに連結された部分Ｍ１ａ、部分Ｍ１ｂを有している。被保持器具Ｍは、部分Ｍ１ａ、Ｍ１ｂがリング部２４を挟むように配置される。
【００２２】
例えば、被保持器具Ｍは眼鏡または筆記具であり、リング部２４は、眼鏡および／または筆記具の一部が掛けるように構成されている。筆記具は、例えば、ペン（例えば、水性ペンまたは油性ペン）、万年筆、ボールペン等を含む。
【００２３】
例えば、リング部２４は、眼鏡のテンプルおよび／または筆記具の一部（例えば、ペンキャップ、キャップ等）が通過可能なように構成されている。本実施形態のホルダ１０によれば、被保持器具Ｍを使用しない場合に被保持器具Ｍの収納を簡便に行うことができる。
【００２４】
保持部材２０は装飾性を有してもよい。例えば、図３に示すように、保持部材２０は装飾部材２６をさらに有してもよい。例えば、装飾部材２６は、磁石２２に取り付けられる。図３では、装飾部材２６は花柄の形状を有している。例えば、装飾部材２６は、ブローチ、コサージュ、飾りピン、襟飾り、および、ペンダントの少なくとも１つを含んでもよい。例えば、装飾部材２６は、貴金属や金属（めっき品、非めっき品のどちらでも良い）、ガラス（有色、無色）、木材、プラスチック、貴石・宝石、貝殻、天然石・人造石、布、羽、モール等または、それら同士を組み合わせて構成されてもよい。
【００２５】
なお、上述した説明では、リング部２４は、磁石２２に直接的に接着されたが、本考案はこれに限定されない。
【００２６】
図４に示すように、保持部材２０は包有部材２８を備えてもよい。包有部材２８にはリング部２４が設けられており、包有部材２８は磁石２２を包むように用いられる。
【００２７】
あるいは、図５に示すように、リング部２４として安全ピンを利用してもよい。安全ピンの少なくとも一部が常磁性材料から形成されていることが好ましく、これにより、安全ピンは磁石２２に取り付けられる。また、図６に示すように、安全ピンの一部に凹形状が形成されており、この部分をリング部２４として利用してもよい。また、安全ピンの少なくとも一部が強磁性材料から形成されており、安全ピンが磁石２２およびリング部２４の両方として機能してもよい。
【００２８】
なお、上述した説明では、保持部材２０は外部の部材に取り付けられたが、本考案はこれに限定されない。ホルダ１０は、保持部材２０の磁石２２に引きつけられる部材を備えてもよい。
【００２９】
図７に、本実施形態のホルダ１０の模式図を示す。図７に示したホルダ１０は、保持部材２０の磁石２２と互いに磁力で引き合う支持部材３０を備えている。支持部材３０は、強磁性材料または常磁性材料から形成されており、支持部材３０は磁石２２に引き寄せられる。このような支持部材３０を用いることにより、反磁性材料または非磁性材料から形成された部材にもホルダ１０を設置することができる。例えば、ホルダ１０は衣服に設置可能である。保持部材２０は衣服の前面に配置され、支持部材３０は衣服の裏面に配置される。また、この場合も、磁石２２と支持部材３０との間に安全ピンを配置し、必要に応じて安全ピンを利用して衣服等にホルダ１０を留めてもよい。
【００３０】
また、支持部材３０はネックレスの一部として用いられ、保持部材２０はネックレスに取り付けられてもよい。なお、図３を参照して上述した説明では、装飾部材２６は保持部材２０に取り付けられていたが、本考案はこれに限定されない。装飾部材２６は、支持部材３０または支持部材３０を取り付ける部材の一部に取り付けられてもよい。
【００３１】
なお、上述したように、ホルダ１０は被保持器具Ｍとして眼鏡を保持してもよい。ここで、図８を参照して一般的な眼鏡Ｍの構成を説明する。図８（ａ）に、眼鏡Ｍが開いた状態の模式図を示し、図８（ｂ）に、眼鏡Ｍが閉じた状態の模式図を示す。図８（ａ）に示すように、２つのレンズの両端に位置する智Ｍ１からテンプルＭ２がテンプルエンドＭ３まで延びている。なお、ここで、テンプルエンドＭ３とは、眼鏡Ｍのテンプル（つる）Ｍ２の着用時耳側端を云い、モダンやしのみ部を有するテンプルの場合などのモダン、しのみ部の端を含む。眼鏡ＭのテンプルＭ２をレンズの方に移動させることにより、眼鏡Ｍは折り畳まれる。
【００３２】
図９に、眼鏡Ｍを保持するホルダ１０の模式図を示す。眼鏡ＭのテンプルエンドＭ３がホルダ１０のリング部２４を通過するように眼鏡Ｍはホルダ１０に掛けられる。例えば、リング部２４は眼鏡Ｍの智Ｍ１またはその近傍と接触している。なお、リング部２４の内径は一般的なテンプルエンドＭ３が通過できればよい。例えば、リング部２４の内径は５ｍｍ以上２５ｍｍ以下であり、好ましくは１０ｍｍ以上２０ｍｍ以下である。このようなホルダ１０は眼鏡ホルダとも呼ばれる。本明細書において、眼鏡は、視力矯正用の眼鏡だけでなく、ゴーグル、サングラス等を含む。
【００３３】
なお、図９に示したホルダ１０が眼鏡Ｍを保持する場合、眼鏡Ｍが開いて揺動することがあり、揺動が大きいと、眼鏡Ｍがホルダ１０から落下し、眼鏡Ｍが損傷してしまうことがある。また、開いた眼鏡Ｍが邪魔になることがある。このため、ホルダ１０に保持された眼鏡ＭのテンプルＭ２の移動を抑制することが好ましい。
【００３４】
図１０に、本実施形態のホルダ１０の模式図を示す。ホルダ１０は、保持部材２０に加えて眼鏡ＭのテンプルＭ２の移動を抑制するテンプル移動抑制部４０を備えている。ここでは、テンプル移動抑制部４０は、保持部材２０とは独立に構成されている。
【００３５】
眼鏡Ｍにテンプル移動抑制部４０を取り付けることにより、テンプルＭ２の移動を抑制できる。テンプル移動抑制部４０により、眼鏡Ｍの折畳状態を維持することができ、眼鏡Ｍが使用者の邪魔をすることを抑制することができる。なお、本明細書の以下の説明において、テンプル移動抑制部４０を、単に、抑制部４０と呼ぶことがある。
【００３６】
ここで、図１１を参照して、抑制部４０の一例として用いられるバネ付クリップを説明する。図１１（ａ）にバネ付クリップ４０の開いている状態の模式図を示し、図１１（ｂ）にバネ付クリップ４０の閉じている状態の模式図を示す。
【００３７】
バネ付クリップ４０は、挟止部４２ａ、４２ｂと、挟止部４２ａ、４２ｂの間に位置する抑止部４２ｃを有している。抑止部４２ｃにはバネによる付勢力が付与されている。図１１（ａ）に示すように、バネ付クリップ４０を開いた場合、挟止部４２ａ、４２ｂの間隔が広がり、抑止部４２ｃは挟止部４２ａから離れるように移動する。このような状態で挟止部４２ａと抑止部４２ｃとの間に折りたたんだ状態の眼鏡Ｍの２つのテンプルＭ２を入れる。その後、バネ付クリップ４０を閉じると、挟止部４２ａ、４２ｂが接触するとともに、抑止部４２ｃが挟止部４２ａに近づくように移動し、挟止部４２ａと抑止部４２ｃとの間で眼鏡ＭのテンプルＭ２の移動が抑制される。なお、バネ付クリップ４０のうち眼鏡ＭのテンプルＭ２と接触する部分には、テンプルＭ２をキズつけないように、フェルトまたはフェイクスウェード付のシールが貼り付けられてもよい。
【００３８】
なお、図１１には、抑制部４０の一例としてバネ付クリップを示したが、抑制部４０はこれに限定されない。抑制部４０は磁力を利用してもよい。
【００３９】
図１２に、抑制部４０の模式図を示す。図１２に示した抑制部４０は、磁性体４４ａ、４４ｂと、磁性体４４ａ、４４ｂを保持する保持部材４４ｃを有している。磁性体４４ａ、４４ｂの一方は強磁性材料から形成されており、磁性体４４ａ、４４ｂの他方は強磁性材料または常磁性材料から形成されている。このように、磁性体４４ａ、４４ｂの少なくとも一方が強磁性材料から形成されており、磁性体４４ａ、４４ｂは互いに引き合うように配置される。
【００４０】
また、保持部材４４ｃは可撓性を有している。例えば、保持部材４４ｃは、塩化ビニル系樹脂またはシリコン樹脂から形成される。磁性体４４ａ、４４ｂが互いに引き合うため、力が付与されない状態で保持部材４４ｃはリング形状を形成する。ただし、磁性体４４ａ、４４ｂが離れるように力を外部から付与すると、保持部材４４ｃはＵ形状に変形し、この部分から、眼鏡Ｍの２つのテンプルＭ２を入れることにより、テンプルＭ２の移動を抑制することができる。このような抑制部４０はマグネットクリップとも呼ばれる。
【００４１】
なお、図１１および図１２に示した抑制部４０は、眼鏡ＭのテンプルＭ２の移動を抑制する際に、２つのテンプルＭ２の移動を抑制するように取り付けられ、眼鏡Ｍの使用時には眼鏡Ｍから取り外されるが、本考案はこれに限定されない。
【００４２】
図１３に示すように、テンプルＭ２に設けられた磁性体４６ａ、４６ｂを用いてテンプルＭ２の移動を抑制してもよい。ここでも、磁性体４６ａ、４６ｂの一方は強磁性材料から形成されており、磁性体４６ａ、４６ｂの他方は強磁性材料または常磁性材料から形成されている。このように、磁性体４６ａ、４６ｂの少なくとも一方が強磁性材料から形成されており、磁性体４６ａ、４６ｂは互いに引き合う。
【００４３】
ここでは、磁性体４６ａ、４６ｂはシール状にテンプルＭ２に貼り付けられる。このような磁性体４６ａ、４６ｂはマグネットシールとも呼ばれる。例えば、マグネットシールの付与は、マグネットパッドを所定の形状に切断し、眼鏡ＭのテンプルＭ２に接着剤で接着することによって行われる。
【００４４】
マグネットシール４６ａ、４６ｂは、眼鏡Ｍの２つのテンプルＭ２を折り畳んだ場合に互いに向かい合うように貼り付けられることが好ましい。この場合、マグネットシール４６ａ、４６ｂの磁力が比較的弱くてもテンプルＭ２の移動を抑制することができる。なお、この場合、眼鏡ＭのテンプルＭ２が開くと、マグネットシール４６ａは外側に配置されており、マグネットシール４６ｂは内側に配置されている。
【００４５】
なお、図１３では、磁性体４６ａ、４６ｂはテンプルＭ２の表面に貼り付けられたが、本考案はこれに限定されない。磁性体４６ａ、４６ｂはテンプルＭ２の内部に埋め込まれてもよい。または、眼鏡ＭのテンプルＭ２の一方に磁性体４６ａが貼り付けられ、テンプルＭ２の他方の内部に磁性体４６ｂが埋め込まれてもよい。なお、図１３に示したように、磁性体４６ａ、４６ｂとしてマグネットシールを用いることにより、任意の眼鏡に対して抑制部４０を簡便に設置することができる。
【００４６】
なお、上述したように、磁性体４６ａ、４６ｂの少なくとも一方は強磁性材料から形成される。この場合、ネオジウム磁石を用いることにより、薄くかつ耐久性の高い磁力を維持可能な磁性体４６ａ、４６ｂを実現できる。また、このような磁性体４６ａ、４６ｂを用いる場合、眼鏡Ｍの一方のテンプルＭ２が衣服のポケット内部にあり、眼鏡Ｍの他方のテンプルＭ２がポケットの外部にあっても眼鏡ＭのテンプルＭ２の移動を抑制することができる。
【００４７】
マグネットシールは、眼鏡Ｍの使用者の着用感の観点から、眼鏡ＭのテンプルＭ２を開いた状態でテンプルＭ２の外側に貼ることが好ましい。あるいは、マグネットシールは、眼鏡Ｍの装飾性の観点からマグネットシールをテンプルＭ２の内側に貼ってもよい。なお、マグネットシールをテンプルＭ２の内側に貼る場合、マグネットシールは薄いことが好ましい。または、マグネットシールは装飾性のある形状を有しており、テンプルＭ２の外側に貼ってもよい。
【００４８】
また、眼鏡ＭのテンプルＭ２に、強磁性および／または常磁性の材料から形成された装飾物を配置してもよく、また、この装飾物は、テンプルＭ２に沿って移動可能であってもよい。なお、装飾物の内側は、テンプルＭ２を傷つけないような構成であることが好ましい。
【００４９】
なお、図１１〜図１３を参照して特定の抑制部４０を説明したが、本考案はこれに限定されない。抑制部４０としてナス環（かに環）またはクリップを用いてもよい。
【００５０】
なお、図１０では、抑制部４０は、保持部材２０から独立して構成されるように示したが、本考案はこれに限定されない。抑制部４０は保持部材２０と連絡していてもよい。
【００５１】
図１４に、本実施形態のホルダ１０の模式図を示す。図１４に示したホルダ１０は、保持部材２０および抑制部４０に加えて、保持部材２０および抑制部４０を連絡する紐状体５０を備えている。なお、図１４に示したホルダ１０は、紐状体５０をさらに備えている点を除いて図１０を参照して上述した構成と同様の構成を有しており、冗長を避けるために重複した説明を省略する。
【００５２】
紐状体５０は端部５２ａ、５２ｂを有している。本明細書において端部５２ａを第１端部５２ａと呼ぶことがあり、端部５２ｂを第２端部５２ｂと呼ぶことがある。紐状体５０の第１端部５２ａは保持部材２０に接続されており、紐状体５０の第２端部５２ｂは抑制部４０に接続されている。なお、図１４では、端部５２ａは磁石２２に取り付けられているが、端部５２ａはリング部２４に取り付けられてもよい。
【００５３】
紐状体５０により、抑制部４０の紛失を抑制するとともに、テンプルＭ２の移動をより効果的に抑制することができる。紐状体５０は、比較的強い強度で、また、高い耐久性を示すことが好ましい。例えば、紐状体５０は、糸またはシリコン状から形成された紐であってもよく、チェーンであってもよい。また、例えば、紐状体５０は、皮革、天然または化学・合成繊維あるいは合成樹脂からなる紐、金属鎖、金属ワイヤ、テグス糸、リボン、モールなどから形成することができる。または、紐状体５０は、金属ワイヤまたはテグス糸を利用したビーズ紐であってもよい。なお、ビーズ紐の場合は、金属（貴金属、めっき）、ガラス（有色・無色）、プラスチック、天然石・模造石、貝殻、宝石・貴石等の通常入手できるビーズを用いることができる。この場合、紐状体５０はアクセサリーとしても機能する。紐状体５０はその有効長さを調整できるようなものであることがより好ましい。
【００５４】
なお、図１４に示したホルダ１０のように、紐状体５０を介して抑制部４０を保持部材２０に連絡させることにより、抑制部４０の紛失を抑制することができる。ただし、紐状体５０を備えるホルダ１０では、例えば、ホルダ１０が被保持器具Ｍを保持しない場合、または、被保持器具Ｍがホルダ１０から外れにくい場合、抑制部４０および紐状体５０が邪魔になることがある。このため、紐状体５０の端部５２ａは保持部材２０から着脱可能に構成されていることが好ましい。
【００５５】
なお、上述した説明では、テンプル移動抑制部４０は、保持部材２０とともに用いられたが、本考案はこれに限定されない。テンプル移動抑制部４０は、保持部材２０とは別個にテンプル移動抑制部４０単独で用いられてもよい。この場合、眼鏡Ｍの収納を簡便に行うことができる。
【００５６】
図１５は、本実施形態のホルダの更に詳細な模式図である。ホルダが眼鏡を保持していること示す。本実施形態のホルダによれば、美観を損なうことなく広い適用範囲で被保持器具（例えば、眼鏡）を保持することができる。
【産業上の利用可能性】
【００５７】
本考案によれば、被保持器具の携帯および収納を容易にし、被保持器具の置き忘れを防止できる。
【符号の説明】
【００５８】
１０  ホルダ
２０  保持部材
２２  磁石
２４  リング部
２６  装飾部材
３０  支持部材
４０  テンプル移動抑制部
５０  紐状体
【図１】
0003176034.tif 000003
【図２】
0003176034.tif 000004
【図３】
0003176034.tif 000005
【図４】
0003176034.tif 000006
【図５】
0003176034.tif 000007
【図６】
0003176034.tif 000008
【図７】
0003176034.tif 000009
【図８】
0003176034.tif 000010
【図９】
0003176034.tif 000011
【図１０】
0003176034.tif 000012
【図１１】
0003176034.tif 000013
【図１２】
0003176034.tif 000014
【図１３】
0003176034.tif 000015
【図１４】
0003176034.tif 000016
【図１５】
0003176034.tif 000017
【手続補正書】
【提出日】平成24年3月22日(2012.3.22)
【手続補正１】
【補正対象書類名】実用新案登録請求の範囲
【補正対象項目名】全文
【補正方法】変更
【補正の内容】
【実用新案登録請求の範囲】
【請求項１】
磁石、および、被保持器具の掛けられるリング部を有する保持部材を備える、ホルダであって、前記リング部は直接的または間接的に前記磁石に接着されている、ホルダ。
【請求項２】
前記保持部材は、装飾部材をさらに有する、請求項１に記載のホルダ。
【請求項３】
前記装飾部材は、ブローチ、コサージュ、飾りピン、襟飾り、または、ペンダントを含む、請求項２に記載のホルダ。
【請求項４】
前記磁石に引き寄せられる支持部材をさらに備える、請求項１から３のいずれかに記載のホルダ。
【請求項５】
前記保持部材は、前記磁石を囲み、かつ、前記リング部の形成された包有部材をさらに有する、請求項１から４のいずれかに記載のホルダ。
【請求項６】
前記被保持器具として用いられる眼鏡の２つのテンプルを挟むクリップをさらに備える、請求項１から５のいずれかに記載のホルダ。
【請求項７】
前記被保持器具として用いられる眼鏡の２つのテンプルのそれぞれに設けられた磁性体をさらに備える、請求項１から５のいずれかに記載のホルダ。
【請求項８】
第１端部および第２端部を有する紐状体をさらに備え、
前記紐状体の前記第１端部は前記保持部材に接続されており、
前記紐状体の前記第２端部は前記テンプル移動抑制部に接続されている、請求項７に記載のホルダ。
【手続補正２】
【補正対象書類名】図面
【補正対象項目名】図８
【補正方法】変更
【補正の内容】
【図８】
0003176034.tif 000018
【手続補正３】
【補正対象書類名】図面
【補正対象項目名】図１１
【補正方法】変更
【補正の内容】
【図１１】
0003176034.tif 000019